(57)【要約】【課題】安定したヒュージングを行うことができる端子構造を提供する。【解決手段】端子１のワイヤ接続部１２の先端に、ワイヤ２１を挟み込む係止溝２２を設ける。係止されるワイヤ２１を奥縁２３に当接した状態で位置決めできるように構成して、係止溝２２の奥部にワイヤ２１を位置決めする位置決め部２４を設定する。ワイヤ接続部１２の両側縁で、電極３１，３１が当てられる当接位置を構成し、この当接位置に、一般部３２，３２より突出する突起３３，３３を設ける。突起３３，３３を、係止溝２２の両側に設け、両突起３３，３３の中心を結ぶ仮想直線３４が係止溝２２の位置決め部２４を通過するように設定する。両突起３３，３３間を流れる電流の通電経路３５上に、位置決め部２４で位置決めされたワイヤ２１を配置する。【選択図】        図２
2004312831.tif 000002
【特許請求の範囲】
【請求項１】
縁部に開口する溝に挟み込まれたワイヤが、側方より当てられた電極からの電流によりヒュージングされる端子構造において、
前記電極が当てられる部位に、一般部より突出した突起を設けるとともに、該突起を介して流れる電流の通電経路上に前記溝内のワイヤが位置するように前記突起を配置したことを特徴とする端子構造。
【請求項２】
前記突起を、前記溝の両側に設けるとともに、両突起を結ぶ線上に、前記溝内のワイヤが位置決めされる位置決め部を設定したことを特徴とする請求項１記載の端子構造。
【発明の詳細な説明】
【０００１】
【発明の属する技術分野】
本発明は、ワイヤが接続される端子構造に関する。
【０００２】
【従来の技術】
従来、ステッピングモータには、図３に示すように、コネクタが接続される端子１０１が設けられていた。
【０００３】
この端子１０１の端縁部には、係止溝１１１が形成されており、この係止溝１１１には、コイルのワイヤ１１２が挟み込まれるように構成されている。
【０００４】
この端子１０１は、前記係止溝１１１にワイヤ１１２を挟み込んだ状態で、溶接用の電極１２１，１２２によって側方からカシメられるように構成されており、両電極１２１，１２２間の電流による発熱によってワイヤ１１２の被覆を溶かし、当該ワイヤ１１２を前記端子１０１に溶着できるように構成されている。
【０００５】
【発明が解決しようとする課題】
しかしながら、このような端子１０１にあっては、側面に電極１２１，１２２を面接して電流を流す構造上、図中破線で示したように、電極１２２に撓みが生じたり、電極１２１，１２２の平面度や両電極１２１，１２２の平行度が低下した場合、電極１２２と端子１０１側面とが点接触することとなる。また、この接触位置は、電極１２２と端子１０１との関係によって異なり、接触部分からの電流の通電経路１２３がヒュージング毎に異なることとなる。
【０００６】
このように、電流の通電経路１２３が毎回異なることによって、ヒュージングにバラツキが生じてしまう。
【０００７】
本発明は、このような従来の課題に鑑みてなされたものであり、安定したヒュージングを行うことができる端子構造を提供することを目的とするものである。
【０００８】
【課題を解決するための手段】
前記課題を解決するために本発明の請求項１の端子構造にあっては、縁部に開口する溝に挟み込まれたワイヤが、側方より当てられた電極からの電流によりヒュージングされる端子構造において、前記電極が当てられる部位に、一般部より突出した突起を設けるとともに、該突起を介して流れる電流の通電経路上に前記溝内のワイヤが位置するように前記突起を配置した。
【０００９】
すなわち、側方より当てられる電極は、一般部より突出した突起と接触する。このため、前記突起の設定位置によって、前記電極との接触点が定められるとともに、該接触点からの電流の通電経路も定められる。
【００１０】
そして、この突起は、前記通電経路上に溝内のワイヤが位置する部位に配置されている。このため、ワイヤのヒュージングが安定的に行われる。
【００１１】
また、請求項２の端子構造においては、前記突起を、前記溝の両側に設けるとともに、両突起を結ぶ線上に、前記溝内のワイヤが位置決めされる位置決め部を設定した。
【００１２】
すなわち、溝内に挟み込まれたワイヤは、前記溝の両側に設けられた両突起を結ぶ線上に位置決めされる。これにより、ワイヤのヒュージングが安定して正確に行われる。
【００１３】
【発明の実施の形態】
以下、本発明の一実施の形態を図に従って説明する。図１は、本実施の形態に係る端子構造を備えた端子１を示す図であり、ステッピングモータに用いられる端子１を例に挙げて説明する。
【００１４】
この端子１は、金属板が打ち抜かれて形成されており、コネクタが接続されるコネクタ接続部１１と、コイルのワイヤが接続されるワイヤ接続部１２とが一体形成されている。該ワイヤ接続部１２基端の両側縁には、円弧状の切欠部１３，１３が形成されており、前記ワイヤを巻回できるように構成されている。各切欠部１３，１３の先端側の縁には、堰部１４，１４が側方へ向けて突設されており、前記切欠部１３，１３に巻回されたワイヤの横ズレを防止できるように構成されている。
【００１５】
前記ワイヤ接続部１２の先端には、図２にも示すように、ワイヤ２１を挟み込む係止溝２２が形成されており、該係止溝２２は、開口した先端側へ向かうに従って幅寸法が広がるように構成されている。前記係止溝２２の幅寸法は、幅寸法が最も狭くなる奥部において前記ワイヤ２１の外径寸法より大きくなるように設定されており、当該係止溝２２に係止されるワイヤ２１は、奥縁２３に当接した状態で位置決めされるように構成されている。これにより、前記係止溝２２の奥部には、前記ワイヤ２１を位置決めする位置決め部２４が設定されている。
【００１６】
また、前記係止溝２２先端の開口縁は、切り欠かれており、開口幅が広がるように構成されている。これにより、この開口部分から挿入されるワイヤ２１の前記係止溝２２への係止が容易となるように構成されている。
【００１７】
前記ワイヤ接続部１２の両側縁は、当該ワイヤ接続部１２を挟持する電極３１，３１が当てられる当接位置を構成し、この当接位置には、一般部３２，３２より突出する突起３３，３３が設けられている。これら突起３３，３３は、前記係止溝２２の両側に設けられるとともに、両突起３３，３３の中心を結ぶ仮想直線３４が前記係止溝２２に設定された前記位置決め部２４を通過する位置に配置されており、両突起３３，３３間を流れる電流の通電経路３５上に、前記位置決め部２４で位置決めされたワイヤ２１が位置するように設定されている。
【００１８】
具体的に、前記ワイヤ２１の直径は０．１５ｍｍに設定されており、このワイヤ２１を前記係止溝２２へ二回挟み込んだ状態で、前記係止溝２２の奥から０．１５ｍｍの位置にて両ワイヤ２１，２１が接触するように構成されている。そして、前記両突起３３，３３の中心は、前記両ワイヤ２１，２１の接触点４１より０．１ｍｍ（寸法Ｓ）奥側へずれた位置に設定されており、前記仮想直線３４が奥側に配置されたワイヤ２１上を通過するように構成されている。
【００１９】
これにより、前記両電極３１，３１間を流れる電流の発熱によって前記係止溝２２内の両ワイヤ２１の被覆を溶かし、当該ワイヤ２１，２１を前記端子１にヒュージングするとともに、両電極３１，３１で側方からカシメられるように構成されており、奥縁２３によって剛性が高められた係止溝２２奥側でのヒュージングをも確実に行えるように構成されている。
【００２０】
以上の構成にかかる本実施の形態において、この端子１の係止溝２２に係止されたワイヤ２１をヒュージングする際には、側方より溶接用の電極３１，３１を押圧しつつ電圧を印加する。このとき、両電極３１，３１が当てられる部位には、一般部３２より突出した突起３３，３３が設けられている。このため、前記電極３１，３１に撓みが生じたり、電極３１，３１の平面度や両電極３１，３１の平行度が低下した場合であっても、電極３１，３１との接触点を、前記突起３３，３３が設けられた位置に定めることができる。
【００２１】
このように、両突起３３，３３の設定位置を定めることによって、前記電極３１，３１との接触点を定めることができ、この接触点からの電流の通電経路３５を予め設定することができる。
【００２２】
そして、この突起３３，３３は、係止溝２２のワイヤ２１が前記通電経路３５上に位置するように配置されている。このため、電流の通電経路３５がヒュージング毎に異なる従来と比較して、ヒュージングのバラツキを抑えることができる。したがって、ワイヤ２１のヒュージングを安定して行うことができる。
【００２３】
また、前記係止溝２２の位置決め部２４にワイヤ２１を配置するだけで、前記仮想直線３４上に前記ワイヤ２１を位置決めすることができる。これにより、ワイヤ２１のヒュージングを、より安定して確実に行うことができる。
【００２４】
【発明の効果】
以上説明したように本発明の請求項１の端子構造にあっては、電極が当てられる部位に一般部より突出した突起が設けられている。このため、前記電極に撓みが生じたり、電極の平面度や両電極の平行度が低下した場合であっても、電極との接触点を、前記突起が設けられた位置に定めることができる。これにより、前記接触点からの電流の通電経路を予め設定することができる。
【００２５】
そして、この突起は、前記通電経路上に溝内のワイヤが位置する部位に配置されている。このため、電流の通電経路がヒュージング毎に異なる従来と比較して、ヒュージングのバラツキを抑えることができる。したがって、ワイヤのヒュージングを安定して行うことができる。
【００２６】
また、請求項２の端子構造においては、溝内に挟み込まれたワイヤを、溝の両側に設けられた両突起を結んだ線上に位置決めすることができる。これにより、ワイヤのヒュージングを、より安定して確実に行うことができる。
【図面の簡単な説明】
【図１】本発明の一実施の形態を示す図である。
【図２】同実施の形態の要部を示す拡大図である。
【図３】従来の端子を示す要部の拡大図である。
【符号の説明】
１    端子
２１    ワイヤ
２２    係止溝
２４    位置決め部
３１    電極
３３    突起
３４    仮想直線
３５    通電経路
【図１】
2004312831.tif 000003
【図２】
2004312831.tif 000004
【図３】
2004312831.tif 000005